(57)【要約】【課題】開口を備えた内装トリムにおいて、開口周縁部の端末処理にかかる設備を簡素化するとともに、端末処理工数を低減する。【解決手段】内装トリム１０を成形する際、開口１１に略等しい凹部２２を形成し、凹部２２の縦壁部２３の一部をカット処理することで開口１１を開設するとともに、開口縁部に起立状の巻込みフランジＡを形成する。そして、起立状態の巻込みフランジＡをシリンダ４２のスライド動作のみで基材２０の裏面に巻込み固着することで、従来２段階の巻込み操作を１段階で完了させることにより、巻込み工数を低減し、更に、折り返す際の展開率を抑えることでコーナー部へのスリット加工や不織布テープの貼付を廃止する。【選択図】  図９
2004196167.tif 000002
【特許請求の範囲】
【請求項１】
内装トリム（１０）に開設される開口（１１）の開口縁部に沿って巻込みフランジ（Ａ）を裏面側に巻込み固着する内装トリムにおける開口の端末処理方法において、
前記内装トリム（１０）を成形金型（３０）により所要形状に成形する際、成形金型（３０）に凹凸形状（３４，３５）を設定することで開口（１１）の外形寸法と略等しい凹部（２２）を車体パネル側に凹設する内装トリム（１０）の成形工程と、
内装トリム（１０）に形成した凹部（２２）にカット処理を施すことにより、開口（１１）を開設するとともに、開口（１１）周縁部に沿って起立状態の巻込みフランジ（Ａ）を形成する開口（１１）の開設工程と、
開口（１１）を開設した内装トリム（１０）を巻込み装置（４０）に位置決めし、開口（１１）の周縁部に沿って巻込み装置（４０）の巻込みブロック（４１）を対峙させ、シリンダ（４２）を動作させることで、巻込みブロック（４１）をスライド動作させて、起立状態の巻込みフランジ（Ａ）を内装トリム（１０）の裏面側に巻込み固着する巻込みフランジ（Ａ）の巻込み工程と、
からなることを特徴とする内装トリムにおける開口の端末処理方法。
【請求項２】
前記開口（１１）は、内装トリム（１０）に形成した凹部（２２）の縦壁部（２３）の一部に沿ってカット処理を施すことにより、開設されることを特徴とする請求項１に記載の内装トリムにおける開口の端末処理方法。
【発明の詳細な説明】
【０００１】
【発明の属する技術分野】
この発明は、内装トリムにおける開口の端末処理方法に関する。更に詳しくは、開口縁部の巻込みフランジの端末処理にかかる設備を簡素化できるとともに、巻込み工数を低減できる内装トリムにおける開口の端末処理方法に関する。
【０００２】
【従来の技術】
通常、車両のルーフパネルの室内側には、内装材としてルーフトリム１が装着されている。このルーフトリム１は、サンルーフタイプの車種においては、図１０に示すように、フロントシートの上方位置に所定面積のサンルーフ用開口２が開設されている。
【０００３】
そして、このサンルーフ用開口２の開口縁部に沿っては、図１１に示すように、基材１ａ及び表皮１ｂとからなるルーフトリム１の巻込みフランジ３が裏面側、すなわち基材１ａの裏面に巻込み固着されている。
【０００４】
従来、このサンルーフ用開口２の開口縁部２ａに沿って設けられる巻込みフランジ３の端末処理方法としては、所要形状に成形されたルーフトリム１をピアス装置のカット刃４により、図１２に示すように、サンルーフ用開口２を開設するカット処理を施す。
【０００５】
その後、図１３に示すように、サンルーフ用開口２の開口縁部２ａに沿って約５００℃の熱風を熱風ブロワ５から吹き付けることで加熱軟化処理した後、図１４に示すように、加熱軟化状態にある巻込みフランジ３を巻込み装置６で巻込み固着する。このとき、巻込み装置６は、巻込みフランジ３を１８０°折り返す必要があることから、上昇用シリンダ６ａと進退用シリンダ６ｂで巻込みブロック６ｃを上昇動作及び横方向にスライド動作させることで巻込みフランジ３を基材１ａの裏面側に巻込み固着しているのが実情である（例えば、特許文献１参照。）。
【０００６】
【特許文献１】
特開２００２−８６６００号公報  （第３頁、第４頁、図３）
【０００７】
【発明が解決しようとする課題】
このように、従来のサンルーフ用開口２を備えたルーフトリム１においては、サンルーフ用開口２の開口縁部２ａに巻込みフランジ３を設定し、この巻込みフランジ３を１８０°折り返し操作することで端末処理を行なっている。従って、折り返し角度が広角（１８０°）であるため、サンルーフ用開口２の４隅部分にスリットを開設する必要があり、また、コーナー部においては、展開率が高いため、表皮１ｂ等に破れが生じ易く、この破れを覆うための不織布テープ等をコーナー部に貼付しているのが実情である。
【０００８】
更に、巻込みフランジ３を１８０°折り返す必要があることから、巻込み装置６は巻込みブロック６ｃを上昇動作させた後、進退動作させるという２段階の動作を余儀なくされ、巻込み工数が多く、このことが作業性を低下させる大きな要因となっている。
【０００９】
この発明は、このような事情に鑑みてなされたもので、サンルーフ用開口を備えたルーフトリム等に代表される内装トリムにおける開口の端末処理方法において、開口周縁部分の端末処理にかかる設備を簡素化できるとともに、端末処理工数も低減でき、作業性を高めることができる内装トリムにおける開口の端末処理方法を提供することを目的とする。
【００１０】
【課題を解決するための手段】
上記目的を達成するために、本発明は、内装トリムに開設される開口の開口縁部に沿って巻込みフランジを裏面側に巻込み固着する内装トリムにおける開口の端末処理方法において、前記内装トリムを成形金型により所要形状に成形する際、成形金型に凹凸形状を設定することで開口の外形寸法と略等しい凹部を車体パネル側に凹設する内装トリムの成形工程と、内装トリムに形成した凹部にカット処理を施すことにより、開口を開設するとともに、開口周縁部に沿って起立状態の巻込みフランジを形成する開口の開設工程と、開口を開設した内装トリムを巻込み装置に位置決めし、開口の周縁部に沿って巻込み装置の巻込みブロックを対峙させ、シリンダを動作させることで、巻込みブロックをスライド動作させて、起立状態の巻込みフランジを内装トリムの裏面側に巻込み固着する巻込みフランジの巻込み工程と、からなることを特徴とする。
【００１１】
ここで、内装トリムとしては、サンルーフ用開口を有するルームトリムの他に、リヤパーセルシェルフ、トランクトリム等、開口を有する内装トリム全般に適用できる。
【００１２】
更に、内装トリムは、所要形状に成形される基材の表面に表皮が貼着された構成が一般に採用されている。基材としては、ガラス繊維を混入したポリオレフィン系樹脂基材、ＰＰＯ（ポリフェニレンオキシド）発泡樹脂基材、発泡ウレタン樹脂基材、ポリエステル繊維等の嵩高性不織布基材等を使用することができる。また、表皮としては、不織布、合成樹脂シート等から適宜選択することができる。
【００１３】
更に、内装トリムの成形方法としては、基材と表皮との原反シートをヒーター装置で予め所定温度に加熱軟化処理した後、コールドプレス成形型で絞り成形することにより所要形状に成形される。
【００１４】
次いで、内装トリムに形成される開口の開設工程は、トリムカットラインは特に限定されないが、例えば、このトリムカットラインを傾斜状の縦壁部に沿う三次元形状に設定したときは、レーザーカット装置によりレーザーカット処理する方法が良い。また、その他の慣用のカット機構を使用しても良い。
【００１５】
更に、巻込み装置は、シリンダ駆動により巻込みブロックをスライドさせる方式のものが良く、また、巻込みブロックとしては、開口の４辺及び各コーナー部を２分割する１２分割構造の巻込みブロックを設定する。
【００１６】
以上の構成から明らかなように、本発明に係る内装トリムにおける開口の端末処理方法は、内装トリムの成形時に開口の外形状に略等しい凹部を形成し、凹部内をカット処理することにより、巻込みフランジを起立状態で形成でき、起立状態の巻込みフランジを基材裏面側に巻込み装置により折り返し固着するというものであるから、従来の１８０°折り返す方式に比べ、起立状の巻込みフランジを折り返すには、１００°前後の折り返し角度で済むため、コーナー部に設けるスリットを廃止することができるとともに、コーナー部の破れを隠すための不織布テープも不要とできる。
【００１７】
更に、巻込みフランジの折曲角度は、１００°前後であるため、従来のように、巻込みフランジを上昇させて起立状態に規制した後、スライドさせる２段階で巻き込む必要がなく、進退用シリンダのみで巻込みブロックを駆動させれば良いため、巻込み装置の構造を簡素化できるとともに、巻込み工数を短縮化できる。
【００１８】
【発明の実施の形態】
以下、本発明に係る内装トリムにおける開口の端末処理方法の好適な実施の形態として、ルームトリムにおけるサンルーフ用開口の端末処理方法を例にとり、添付図面を参照しながら詳細に説明する。
【００１９】
図１は本発明方法を適用して製作したルーフトリムをルーフパネル側からみた斜視図、図２は同ルーフトリムの構成を示す断面図、図３は同ルームトリムの成形工程に使用する成形金型の全体図、図４は同ルーフトリムにおけるサンルーフ用開口縁部の巻込み処理に使用する巻込み装置の平面図、図５乃至図９は同ルーフトリムのサンルーフ用開口における端末処理方法の各工程図を示すもので、図５はルーフトリムの原反シートを成形金型内にセットするセット工程を示す説明図、図６は同ルーフトリムのプレス成形工程を示す説明図、図７は同ルーフトリムにおけるサンルーフ用開口のカット工程を示す説明図、図８は同ルーフトリムにおけるサンルーフ用開口の巻込みフランジを加熱軟化させる巻込みフランジの加熱軟化工程を示す説明図、図９は同巻込みフランジの巻込み工程を示す説明図である。
【００２０】
まず、図１，図２において、本発明方法により端末処理を施したルーフトリム１０の構成について説明する。ルーフトリム１０は、図示しない車両のルーフパネルの室内側に装着され、中央から外方に向けて室内側にやや湾曲した形状に成形されている。そして、このルーフトリム１０には、フロントシートの上方にサンルーフ用開口１１が開設されているとともに、フロント縁部略中央にルームミラーのブラケット取付孔１２及び中央にルームランプ取付用開口１３が開設されている。
【００２１】
また、ルーフトリム１０は、保形性を備えた基材２０の表面に手触り感及び外観性能に優れた表皮２１を貼付して構成されている。上記基材２０は、ガラス繊維を混入したポリオレフィン系樹脂シートを加熱軟化処理した後、所要形状にコールドプレス成形しても良く、ガラス繊維を混入したポリオレフィン系樹脂シートの他にも、ＰＰＯ（ポリフェニレンオキシド）発泡樹脂基材や発泡ウレタン樹脂基材、あるいはポリエステル繊維不織布を使用することもできる。
【００２２】
更に、上記基材２０としては、適度の保形性と車両のルーフパネルに取り付けられる取付剛性を備えていれば良いが、更に軽量でかつ吸音性能や断熱性に優れる素材を使用するのが好ましく、コスト、成形性、及び諸機能を考慮して適宜選択できる。
【００２３】
一方、表皮２１は、クロスシート、不織布シート、合成樹脂シートを使用して良いが、吸音性能を考慮すれば、クロスシートや不織布シートが好ましい。また、表皮２１は、基材２０の成形時に一体貼着される。
【００２４】
ところで、本発明方法により製作されたルーフトリム１０に開設されているサンルーフ用開口１１は、巻込みフランジＡが開口１１の全周に沿って基材２０の裏面側に巻込み固着されており、特に、コーナー部にスリットが設けられていないとともに、不織布テープも廃止されたシンプルで良好な外観性能を備えている。
【００２５】
本発明方法は、このように、サンルーフ用開口１１周縁部の外観性能を良好に維持できるとともに、巻込みフランジＡの端末処理方法に使用する設備を簡素化でき、かつ巻込み処理工数を低減することを課題としている。
【００２６】
すなわち、ルーフトリム１０を成形する成形金型３０の構成を図３に示すとともに、巻込みフランジＡの端末処理、すなわち巻込み工程に使用する巻込み装置４０の構成を図４に示す。図面において、成形金型３０は、図３に示すように、所定ストローク上下動可能な成形上型３１と、それと対をなす成形下型３２とから構成され、図示はしないが成形上下型３１，３２には、冷却用パイプが埋設されている。
【００２７】
更に詳しくは、成形上型３１は、昇降シリンダ３３の動作により、所定ストローク上下動作して、成形下型３２に対して型締めされるが、成形上下型３１，３２の型面形状は、ルーフトリム１０の製品形状を形作るためにやや湾曲した型面形状を備えているが、ルーフトリム１０に開設するサンルーフ用開口１１に該当する箇所には、成形上型３１には凹部３４が凹設され、成形下型３２には凸部３５が突設形成されている。
【００２８】
図４は、巻込み装置４０の全体構成を示すもので、サンルーフ用開口１１の開口縁部の内周に沿って１２分割された巻込みブロック４１が設けられている。すなわち、巻込みブロック４１は、フロント側縁に沿う辺用巻込みブロック４１ａ、リヤ側縁に沿う辺用巻込みブロック４１ｂ、両側縁に沿う辺用巻込みブロック４１ｃ、そして、４隅部を各２分割したコーナー用巻込みブロック４１ｄの１２分割構成とし、各巻込みブロック４１（４１ａ〜４１ｄ）には、対応するシリンダ４２（４２ａ〜４２ｄ）が備わっている。
【００２９】
次いで、上記成形金型３０及び巻込み装置４０を使用してルーフトリム１０におけるサンルーフ用開口１１の端末処理方法について順を追って説明する。まず、図５に示すように、成形金型３０が型開き状態にあるとき、基材２０と表皮２１の原反シートＳ１，Ｓ２を予め図示しないヒーター装置により加熱軟化させた状態でセットする。
【００３０】
そして、原反シートＳ１，Ｓ２のセットが完了すれば、図６に示すように、成形金型３０の昇降シリンダ３３が動作して、成形上型３１が所定ストローク下降して、成形上下型３１，３２の型締めにより、基材２０が所要形状に絞り成形されるとともに、基材２０の表面に表皮２１が一体貼着されてルーフトリム１０が所要形状に成形される。
【００３１】
このとき、成形上下型３１，３２にそれぞれ形成した凹部３４と凸部３５との間でルーフトリム１０にパネル取付側方向に窪む凹部２２が形成される。この凹部２２は、成形金型３０の型抜き等を考慮して、約１００°の角度で傾斜した縦壁部２３を備えるように成形される。
【００３２】
次いで、所要形状に成形されたルーフトリム１０を成形金型３０から脱型し、上記凹部２２における縦壁部２３を図７に示すようにレーザーカット装置５０によりレーザーカット処理することにより、サンルーフ用開口１１を開設するとともに、サンルーフ用開口１１の周縁部に沿って所定角度傾斜した起立状態の巻込みフランジＡを形成する。このとき、ルーフトリム１０は、受け治具５１にセットされる。また、レーザーカット装置５０によるカット部位は、基本的に縦壁部２３に設定されるが、縦壁部２３と凹部２２底面部との境界部分や、僅かに底面部にかかっても良い。
【００３３】
次いで、図８に示すように、巻込みフランジＡに熱風ブロワ６０から５００℃の熱風を吹き付けて加熱軟化処理を施す。その後、サンルーフ用開口１１内に図４に示す巻込み装置４０が嵌まり込むように、ルーフトリム１０を位置決めし、図９（ａ），（ｂ）に示すように、巻込み装置４０のシリンダ４２を伸長動作させることにより、サンルーフ用開口１１の開口縁部に沿って起立状に形成された巻込みフランジＡを約１００°折り返すことで、巻込み処理が完了する。
【００３４】
従って、本発明に係る端末処理方法によれば、サンルーフ用開口１１の開口周縁に沿って設けられた巻込みフランジＡは、起立状態（本実施形態では約１００°）に設定されているため、従来のように１８０°折り返す作業を不要とでき、コーナー部にスリットを開設する必要がなく、また、破れを隠すための不織布テープを貼付する作業も廃止できる。
【００３５】
そして、巻込みフランジＡは、約１００°折り返すだけで良いため、シリンダ４２によるスライド動作だけで済むため、従来のように、巻込みブロックを上昇動作させた後、スライド動作させる２段階の動作は不要とできることから、巻込みフランジＡの端末処理工数を大幅に短縮化することができるとともに、巻込み装置４０の構造も簡素化できる。
【００３６】
以上説明した実施形態は、本発明方法をルーフトリム１０におけるサンルーフ用開口１１の端末処理に適用したものであるが、開口を有する内装トリムであれば、リヤパーセルシェルフ、トランクトリム等の内装トリム全般に応用することもできる。
【００３７】
【発明の効果】
以上説明した通り、本発明に係る内装トリムにおける開口の端末処理方法は、内装トリムの成形時に開口に相当する箇所に凹部を設け、この凹部内をカット処理することで開口の周縁部に沿って起立状態の巻込みフランジを形成し、起立状態の巻込みフランジを折り返し、基材裏面に折り返すだけで良いため、巻込みフランジを１８０°折り返すという従来の端末処理方法に比べ、コーナー部にスリットを設ける必要がなく、また、コーナー部に破れを隠すための不織布テープを貼付する必要がないことから、廉価に製作でき、かつ外観見栄えを良好に維持できるという効果を有する。
【００３８】
更に、巻込み装置はスライド方向の１段階で巻き込みが完了するため、従来の２段階の巻込み装置に比べ設備を簡素化できるとともに、巻込み処理時間も短縮化できる。従って、設備の簡素化並びに巻込み工数を短縮化できるため、経済的にも有利で、かつ生産性を大幅に高めることができるという効果を有する。
【図面の簡単な説明】
【図１】本発明方法を適用して製作したルーフトリムをルーフパネル側からみた斜視図である。
【図２】図１中II−II線断面図である。
【図３】図１に示すルーフトリムを成形する際に使用する成形金型の全体構成を示す説明図である。
【図４】図１に示すルーフトリムにおけるサンルーフ用開口の端末処理に使用する巻込み装置の構成を示す平面図である。
【図５】図１に示すルーフトリムの原反シートを成形金型内にセットするセット工程を示す説明図である。
【図６】図１に示すルーフトリムの成形工程を示す説明図である。
【図７】図１に示すルーフトリムにおけるサンルーフ用開口のレーザーカット工程を示す説明図である。
【図８】図１に示すルーフトリムのサンルーフ用開口における巻込みフランジの加熱軟化工程を示す説明図である。
【図９】図１に示すルーフトリムのサンルーフ用開口における巻込みフランジの巻込み工程を示す説明図である。
【図１０】従来のルーフトリムを示す一部破断斜視図である。
【図１１】従来のルーフトリムにおけるサンルーフ用開口を示す断面図である。
【図１２】従来のルーフトリムにおけるピアスカット工程を示す説明図である。
【図１３】従来のルーフトリムにおけるサンルーフ用開口縁部の加熱軟化工程を示す説明図である。
【図１４】従来のルーフトリムにおけるサンルーフ用開口縁部の巻込み工程を示す説明図である。
【符号の説明】
１０  ルーフトリム
１１  サンルーフ用開口
２０  基材
２１  表皮
２２  凹部
２３  縦壁部
３０  成形金型
３１  成形上型
３２  成形下型
３３  昇降シリンダ
３４  凹部
３５  凸部
４０  巻込み装置
４１  巻込みブロック
４１ａ，４１ｂ，４１ｃ  辺用巻込みブロック
４１ｄ  コーナー用巻込みブロック
４２  シリンダ
５０  レーザーカット装置
５１  受け治具
６０  熱風ブロワ
Ａ  巻込みフランジ
【図１】
2004196167.tif 000003
【図２】
2004196167.tif 000004
【図３】
2004196167.tif 000005
【図４】
2004196167.tif 000006
【図５】
2004196167.tif 000007
【図６】
2004196167.tif 000008
【図７】
2004196167.tif 000009
【図８】
2004196167.tif 000010
【図９】
2004196167.tif 000011
【図１０】
2004196167.tif 000012
【図１１】
2004196167.tif 000013
【図１２】
2004196167.tif 000014
【図１３】
2004196167.tif 000015
【図１４】
2004196167.tif 000016